(57)【要約】【課題】重量バランスに優れ、かつ、作業性にも優れた携帯式作業機を提供すること。【解決手段】主杆１の始端部に電動モータ３を装備し、主杆１の終端部に刈払機４を装備する携帯式作業機１００において、電動モータ３を駆動するバッテリ６を主杆１の中間部に設ける。重量の重いバッテリ６が主杆１の中間部に設けられるため、重量バランスに優れると共に、振動源となる電動モータ３が、ハンドル８の取付け位置となる主杆１の中間部とは離れた主杆１の始端部に装備されるため、作業者に振動が伝わりにくく、作業性に優れる。【選択図】図１
2012055195.tif 000002
【特許請求の範囲】
【請求項１】
主杆（１）の始端部に電動機（３）を装備し、前記主杆（１）の終端部に作業機（４）を装備する携帯式作業機において、
前記電動機（３）を駆動するバッテリ（６）を前記主杆（１）の中間部に設けたこと、
を特徴とする携帯式作業機。
【請求項２】
前記バッテリ（６）を保持するホルダ（５）に制御部（７）が取り付けられていることを特徴とする請求項１に記載の携帯式作業機。
【請求項３】
前記バッテリ（６）を保持するホルダ（５）にハンドル（８）が取り付けられていることを特徴とする請求項１又は２に記載の携帯式作業機。
【請求項４】
ハンドル（８）のグリップ部（８３）に操作部（７４Ａ）が配置されていることを特徴とする請求項１に記載の携帯式作業機。
【請求項５】
前記バッテリ（６）を保持するホルダ（５）及び前記電動機（３）に、下方に向けて突出する載置用の足（５３，３１）が設けられていることを特徴とする請求項１〜４のいずれか一項に記載の携帯式作業機。
【発明の詳細な説明】
【技術分野】
【０００１】
本発明は、刈払機やブロワなどの携帯式作業機に関する発明である。
【背景技術】
【０００２】
従来から、刈払機やブロワなどの作業機と、この作業機を駆動するモータとが、ハンドルが設けられた主杆に一体又は分離可能に取り付けられた携帯式作業機が知られている。
【０００３】
例えば、以下の特許文献１には、メインパイプのハンドルより前方先端部に刈刃が取り付けられ、メインパイプのハンドルより後方部に電動モータ及びバッテリが取り付けられた一体型の電動刈払機が記載されている。また、以下の特許文献２には、操作杆の先端にモータが取り付けられ、このモータに直接カッターが取り付けられた電動式刈払い機が記載されている。これらの刈払機では、モータやバッテリといった重量物がいずれも主杆の端に配置されているため、重量バランスが悪く、作業性が悪い。
【０００４】
このような問題を解決するために、以下の特許文献３に記載の草刈り機では、草刈り機全体の先端部に刈刃等が取り付けられた作用部を、中間部にモータが収納されたモータ部を、後方に電池が収納された電源部をそれぞれ配置し、作用部とモータ部とを前方側操作杆で連結すると共に、モータ部と電源部とを後方側操作杆で連結し、後方側操作杆のモータ部近傍にハンドルを設けている。そして、中間部にモータ部があるため、草刈り機の姿勢が変化しても重量バランスの変化が少なく、作用部側を持ち上げて作業する様な場合にも作業者の疲労が少ないとしている。
【先行技術文献】
【特許文献】
【０００５】
【特許文献１】特開２００８−２３７１８９号公報
【特許文献２】実開平５−２６２０号公報
【特許文献３】特許第４１２２４８４号公報
【発明の概要】
【発明が解決しようとする課題】
【０００６】
しかしながら、上述の特許文献３に記載の草刈り機では、作業者が握るハンドルの近くに振動源となるモータ部が配置されているため、作業者に振動が伝わりやすく、作業性の低下の原因となるおそれがある。これを防止するためにハンドルとモータ部との間に減衰機構を設けることも考えられるが、装置が複雑となる。
【０００７】
本発明は、このような課題を解決するために成されたものであり、重量バランスに優れ、かつ、作業性にも優れた携帯式作業機を提供することを目的とする。
【課題を解決するための手段】
【０００８】
本発明に係る携帯式作業機は、主杆（１）の始端部に電動機（３）を装備し、主杆（１）の終端部に作業機（４）を装備する携帯式作業機において、電動機（３）を駆動するバッテリ（６）を主杆（１）の中間部に設けたことを特徴とする。
【０００９】
本発明においては、重量の重いバッテリ（６）が主杆（１）の中間部に設けられるため、重量バランスに優れる。また、振動源となる電動機（３）が、ハンドル（８）の取付け位置となる主杆（１）の中間部とは離れた主杆（１）の始端部に装備されるため、作業者に振動が伝わりにくく、作業性に優れる。
【００１０】
ここで、バッテリ（６）を保持するホルダ（５）に制御部（７）が取り付けられていると、バッテリ（６）と制御部（７）との間の配線（Ｌ２）をホルダ（５）内に収めることが可能とされるため、配線が容易となると共に配線（Ｌ２）を保護できる。
【００１１】
また、バッテリ（６）を保持するホルダ（５）にハンドル（８）が取り付けられていると、構造が簡単となる。
【００１２】
また、ハンドル（８）のグリップ部（８３）に操作部（７４Ａ）が配置されていると、操作部（７４Ａ）の操作性がより向上し、さらに、バッテリ（６）と操作部（７４Ａ）との間の配線（Ｌ３）をハンドル（８）内に収めることが可能とされるため、配線が容易となると共に配線（Ｌ３）を保護できる。
【００１３】
また、バッテリ（６）を保持するホルダ（５）及び電動機（３）に、下方に向けて突出する載置用の足（５３，３１）が設けられていると、携帯式作業機を地面に載置する際に、接地箇所がホルダ（５）及び電動機（３）の二点となり、安定して地面に載置することができる。
【発明の効果】
【００１４】
本発明によれば、重量バランスに優れ、かつ、作業性にも優れた携帯式作業機を提供することができる。
【図面の簡単な説明】
【００１５】
【図１】本発明の第一実施形態に係る携帯式作業機を示す斜視図である。
【図２】図１に示す携帯式作業機を示す分解斜視図である。
【図３】図１に示す携帯式作業機の要部を示す拡大分解斜視図である。
【図４】図１に示す携帯式作業機の要部を示す拡大側面図である。
【図５】本発明の第二実施形態に係る携帯式作業機の要部を示す拡大側面図である。
【図６】本発明の第三実施形態に係る携帯式作業機を示す分解斜視図である。
【発明を実施するための形態】
【００１６】
以下、図面を参照しつつ本発明に係る携帯式作業機の好適な実施形態について詳細に説明する。同一の要素には同一の符号を付し、重複する説明は省略する。
【００１７】
図１は本発明の第一実施形態に係る携帯式作業機を示す斜視図、図２は図１に示す携帯式作業機を示す分解斜視図、図３は図１に示す携帯式作業機の要部を示す拡大分解斜視図、図４は図１に示す携帯式作業機の要部を示す拡大側面図である。
【００１８】
携帯式作業機１００は、作業者がこれを肩掛ベルトで肩から提げ、両手で操りながら草や小木を刈払うためのものである。図１に示すように、携帯式作業機１００は、図示右側の本体部１１０と、これより前側の作業機部１２０とを具備する。
【００１９】
本体部１１０は棒状の後部杆１１を備え、作業機部１２０は後部杆１１と同等の太さで後部杆１１よりも短い棒状の前部杆１２を備えている。前部杆１２は、後部杆１１に設けられた連結部２で後部杆１１と連結されており、後部杆１１と前部杆１２とで主杆１を成している。そして、図２に示すように、作業機部１２０が連結部２で本体部１１０と着脱可能となっている。
【００２０】
図１に戻り、前部杆１２の前端部、すなわち主杆１の前端部（終端部）には、刈払機（作業機）４が設けられている。この刈払機４は、刈刃４１及びカバー４２で構成されている。刈刃４１は外周部に刃（不図示）が設けられた円盤状を成し、前部杆１２の前端部に回転自在に取り付けられており、回転して草や小木を刈り払う。カバー４２は前部杆１２における刈刃４１の後方に取り付けられており、刈刃４１によって刈り払われた草や小木が作業者に向かって飛散しないように刈刃４１を覆うと共に、携帯式作業機１００を地面等に載置したときに載置用の足となる。
【００２１】
後部杆１１の後端部、すなわち主杆１の後端部（始端部）には、刈刃４１を回転させるための電動モータ（電動機）３が取り付けられている。この電動モータ３には、下方（図示下側）に向けて突出する載置用の足３１が設けられている。
【００２２】
後部杆１１の連結部２より後側近傍、すなわち主杆１のほぼ中間部には、バッテリホルダ５が設けられている。このバッテリホルダ５は、バッテリ６を保持するためのものであり、図３に示すように、ホルダ上部５１、ホルダ下部５２及び足５３，５３から構成されている。
【００２３】
ホルダ上部５１は外形が略直方体を成しており、その下面にはホルダ下部５２が配置され、ホルダ上部５１及びホルダ下部５２の中心部を後部杆１１が貫通している。ホルダ下部５２の後部は前部よりも下方に向けて突出しており、その下面には、下方に向けて突出する載置用の足５３，５３が左右方向に離間して設けられている。そして、外形が略直方体を成すバッテリ６が、ホルダ下部５２の前部下面と後部前面とに接するようにして、着脱可能に取り付けられる。
【００２４】
バッテリ６はカセット式のバッテリであり、携帯式作業機１００の全体重量のうち、約２０％程度を占める重さとなっている。
【００２５】
ホルダ上部５１の前部には、電動モータ３の駆動を制御するための制御部７が取り付けられている。図４に示すように、この制御部７には配線Ｌ１が接続されており、この配線Ｌ１はバッテリホルダ５内を通り、バッテリホルダ５の後端部を貫通して後部杆１１の外面に沿い後方に向かって配線され、電動モータ３と接続されている（図１参照）。配線Ｌ１の後部杆１１の外面に沿った部分は被覆材で覆われ配線Ｌ１が保護されている。また、制御部７には配線Ｌ２が接続されており、この配線Ｌ２は、バッテリホルダ５内を通り、ホルダ下部５２内に設けられた端子部５４と接続されている。そして、この端子部５４は、バッテリ６と接続されている。従って、バッテリ６の電力は、制御部７を介して電動モータ３に供給される。
【００２６】
図３に示すように、制御部７は表示部７１と操作部７２とを備え、操作部７２は電源スイッチ７３と回転数調整スイッチ７４とを有している。電源スイッチ７３及び回転数調整スイッチ７４は電動モータ３の操作を行うためのものであり、電源スイッチ７３によって電動モータ３のオンオフを行い、回転数調整スイッチ７４によって電動モータ３の回転数を制御し、刈刃４１の回転数を調整する。表示部７１はバッテリ６の残量や刈刃４１の回転数等を表示する。
【００２７】
ホルダ上部５１の後部上面には、ハンドル８が取り付けられている。ハンドル８は、ハンドル取付部８１、ハンドル部８２，８２及びグリップ部８３，８３によって構成されている。ハンドル取付部８１は外形が略直方体を成し、ホルダ上部５１の後部上面に取り付けられ、ハンドル部８２，８２はそれぞれＬ字状に曲がった棒状を成し、ハンドル取付部８１の側面にそれぞれ取り付けられている。ハンドル部８２の端部は後方上方に向けて突出し、この端部にはグリップ部８３が設けられている。
【００２８】
なお、主杆１の内部には電動モータ３の駆動力を刈刃４１に伝えるための伝達機構が設けられ、バッテリホルダ５の近傍には、肩掛けベルトが取り付けられる。
【００２９】
このような携帯式刈払機１００では、作業者が肩掛けベルトを介して携帯式刈払機１００を肩から提げ、電源スイッチ７３を押し電動モータ３を駆動して刈刃４を回転させ、ハンドル８のグリップ部８３を握りを両手で操りながら、回転する刈刃４により草や小木を刈り払う。
【００３０】
草や小木を刈り払う際、重量の重いバッテリ６がバッテリホルダ５を介して主杆１の中間部に設けられているため、重量バランスに優れる。
【００３１】
また、振動源となる電動モータ３が、ハンドル８の取付け位置である主杆１の中間部とは離れた主杆１の後端部に装備されているため、作業者に振動が伝わりにくく、作業性に優れる。
【００３２】
また、バッテリ６を保持するバッテリホルダ５に制御部７が取り付けられているため、バッテリ６と制御部７との間の配線Ｌ２がバッテリホルダ５内に収められ、配線が容易となると共に配線Ｌ２を保護できる。
【００３３】
また、ハンドル８近傍に制御部７が設けられるため、制御部７に設けられている電源スイッチ７３及び回転数調整スイッチ７４の操作性が向上すると共に、制御部７に設けられている表示部７１の視認性が向上する。
【００３４】
また、バッテリ６を保持するバッテリホルダ５にハンドル８が取り付けられているため、構造が簡単である。
【００３５】
また、バッテリ６を保持するバッテリホルダ５及び電動モータ３に、下方に向けて突出する載置用の足３１，５３，５３が設けられているため、作業機部１２０を取り外して本体部１１０を地面に載置する際に、接地箇所がバッテリホルダ５及び電動モータ３の二点となり、安定して地面に載置することができ、そのため作業機部１２０の着脱が容易になる。なお、作業機部１２０を取り付けたまま携帯式作業機１００を地面に載置する際には、設置箇所が刈払機４のカバー４１、バッテリホルダ５及び電動モータ３の三点となる。
【００３６】
また、バッテリ６はカセット式であるため、バッテリホルダ５との着脱が容易である。
【００３７】
次に、本発明の第二実施形態に係る携帯式刈払機について説明する。
【００３８】
図５は、本発明の第二実施形態に係る携帯式作業機の要部を示す拡大側面図である。この携帯式作業機２００が第一実施形態に係る携帯式作業機１００と異なる点は、回転数調整スイッチ７４をグリップ部８３に配置し、回転数調整スイッチレバー７４Ａとした点である。これに伴い、回転数調整スイッチレバー７４Ａからハンドル８内及びホルダ上部５１内を通って制御部７と接続される配線Ｌ３が増設されている。
【００３９】
そして、回転数調整スイッチレバー７４Ａを握ると電動モータ３が駆動して刈刃４１が回転するようになっている。回転数調整スイッチレバー７４Ａの押し込み量が大きい程、刈刃４１の回転数は高くなり、回転数調整スイッチレバー７４Ａの押し込み量が最大になると刈刃４１の回転数は最大に達する。そして、回転数調整スイッチレバー７４Ａを握ることを止めると刈刃４１の回転が止まる。
【００４０】
このような携帯式作業機２００では、ハンドル８のグリップ部８３に回転数調整スイッチレバー７４Ａが配置されているため、回転数調整スイッチレバー７４Ａの操作性がより向上し、刈刃４１の回転数の調整が容易となる。
【００４１】
さらに、制御部７と回転数調整スイッチレバー７４Ａとの間の配線Ｌ３をハンドル８内及びバッテリホルダ５内に収められ、配線が容易となると共に配線Ｌ３を保護できる。
【００４２】
次に、本発明の第三実施形態に係る携帯式刈払機について説明する。
【００４３】
図６は、本発明の第三実施形態に係る携帯式作業機を示す分解斜視図である。この携帯式作業機３００が第一実施形態に係る携帯式作業機１００と異なる点は、刈払機４を有する作業機部１２０に代えて、ブロワ（作業機）９を有する作業機部１３０を用いた点である。ブロワ９は、電動モータ３から伝達された駆動力によって回転羽根が回転して風を発生させ、この風で草や小木を吹き飛ばすためのものであり、前部杆１２の前端部に取り付けられている。このブロワ９にも、下方に向けて突出する載置用の足９１が設けられている。
【００４４】
このような携帯式作業機３００では、刈払機４を有する携帯式作業機１００で草や小木を刈り払った後、作業機部１２０を連結部２から取り外してブロワ９を有する作業機部１３０に付け替え、刈り払われた草や小木をブロワ９で吹き飛ばすことができる。このように、作業機部が連結部２で本体部１１０と着脱可能になっているため、多様な作業機に変更できる。
【００４５】
また、重量の重いバッテリ６がバッテリホルダ５を介して主杆１の中間部に設けられているため、重量バランスに優れ、作業機を変更しても同等の重量バランスで作業を行える。
【００４６】
なお、本発明は上記実施形態に限定されない。例えば、第二実施形態に係る携帯式作業機２００では、回転数調整スイッチレバー７４Ａをグリップ部８３に配置しているが、電源スイッチ７３をグリップ部８３に配置して電源スイッチレバー７３Ａとしても良い。こうすると、電動モータ３の駆動が容易に行える。
【符号の説明】
【００４７】
１…主杆、３…電動モータ（電動機）、４…刈払機（作業機）、５…バッテリホルダ（ホルダ）、６…バッテリ、７…制御部、８…ハンドル、９…ブロワ（作業機）、３１，５３…足、７２，７２Ａ…操作部、８３…グリップ部、１００，２００，３００…携帯式作業機。
【図１】
2012055195.tif 000003
【図２】
2012055195.tif 000004
【図３】
2012055195.tif 000005
【図４】
2012055195.tif 000006
【図５】
2012055195.tif 000007
【図６】
2012055195.tif 000008